(57)【要約】【課題】  カラーページ等の合紙を挿入しておいたままで、原稿をＡＤＦにセットして用紙に画像形成の処理を行い、複写された用紙において、上記原稿と同一の場所に合紙を挿入することができる画像形成装置を提供することを目的とする。【解決手段】  本発明の画像形成装置は、原稿の表面及び裏面の画像データを読み取る読取手段と、原稿の表面及び裏面の下地色を検出する下地色検出手段と、検出された表面及び裏面の下地色が所定の色であるか否かを判定する合紙定手段と、印刷用の用紙を給紙する用紙給紙手段と、所定の色以外の下地色の合紙用の用紙を給紙する合紙給紙手段と、下地色判定手段の判定結果に基づき、用紙給紙手段から用紙を給紙するか、合紙給紙手段から合紙を供給するかを制御する給紙切替手段とを有している。【選択図】    図２
2006232517.tif 000002
【特許請求の範囲】
【請求項１】
原稿の表面及び裏面の画像データを読み取る読取手段と、
原稿の表面及び裏面の下地色を検出する下地色検出手段と、
検出された表面及び裏面の下地色が所定の色であるか否かを判定する合紙判定手段と、
印刷用の用紙を給紙する用紙給紙手段と、
前記所定の色以外の下地色の合紙用の用紙を給紙する合紙給紙手段と、
前記下地色判定手段の判定結果に基づき、前記用紙給紙手段から用紙を給紙するか、合紙給紙手段から合紙を供給するかを制御する給紙切替手段と
を有していることを特徴とする画像形成装置。
【請求項２】
原稿の表面及び裏面の画像データを読み取る読取手段と、
検出された表面及び裏面のいずれに画像が印刷されているか否かを判定する合紙判定手段と、
印刷用の用紙を給紙する用紙給紙手段と、
前記用紙の下地色以外の色の合紙用の用紙を給紙する合紙給紙手段と、
前記画像判定手段の判定結果に基づき、前記用紙給紙手段から用紙を給紙するか、合紙給紙手段から合紙を供給するかを制御する給紙切替手段と
を有していることを特徴とする画像形成装置。
【請求項３】
原稿の表面及び裏面の画像データを読み取る読取手段と、
原稿の表面及び裏面の下地色を検出する下地色検出手段と、
検出された表面及び裏面の下地色が所定の色であるか否かを判定する第１の合紙判定手段と、
検出された表面及び裏面のいずれに画像が印刷されているか否かを判定する第２の合紙判定手段と、
印刷用の用紙を給紙する用紙給紙手段と、
前記用紙の下地色以外の色の合紙用の用紙を給紙する合紙給紙手段と、
前記第１または第２の合紙判定手段のいずれかの判定結果に基づき、前記用紙給紙手段から用紙を給紙するか、合紙給紙手段から合紙を供給するかを制御する給紙切替手段と
を有し、
下地色による合紙の検出が選択された場合、給紙切替手段が第１の合紙判定手段の判定結果により給紙の制御を行い、画像の有無による合紙の検出が選択された場合、給紙切替手段が第２の合紙判定手段の判定結果により給紙の制御を行うことを特徴とする画像形成装置。
【請求項４】
前記給紙切替手段が、原稿が合紙でないと判定された場合、用紙給紙手段から用紙を供給し、一方、原稿が合紙と判定された場合、合紙供給手段から合紙を供給することを特徴とする請求項１から請求項３のいずれかに記載の画像形成装置。
【請求項５】
原稿の表面及び裏面の画像データを読み取る読取手段と、
原稿の表面及び裏面の下地色を検出する下地色検出手段と、
検出された表面及び裏面の下地色が所定の色であるか否かを判定する合紙判定手段と、
印刷用の用紙を給紙する用紙給紙手段と、
前記下地色判定手段の判定結果に基づき、合紙であることを示す所定の画像を前記用紙に印刷する印刷手段と
を有していることを特徴とする画像形成装置。
【請求項６】
前記読取手段が自動原稿送り装置に設けられ、原稿の裏面の画像を読み込む第１の読取センサと、画像形成装置に設けられ、原稿の表面の画像を読み込む第２のセンサとから構成されることを特徴とする請求項１から請求項５のいずれかに記載の画像形成装置。
【請求項７】
自動両面原稿送り装置が設けられており、前記読取手段が表面及び裏面に共通の１つの読取センサから構成されていることを特徴とする請求項１から請求項５のいずれかに記載の画像形成装置。
【発明の詳細な説明】
【技術分野】
【０００１】
本発明は、印刷用の用紙の給紙を行う自動給紙装置及び原稿の供給を行う自動原稿送り装置が設けられている複写機などの画像形成装置に関する。
【背景技術】
【０００２】
従来、画像形成装置としては、印刷用の用紙を給紙する印刷用給紙段と、ページの区切りとして通常の用紙の間に挿入される合紙に用いるカラーぺーパ等を給紙する合紙用給紙段とを備えているものがある（例えば、特許文献１参照）。
また、上述した画像形成装置には、複写する原稿を複写機部分に順次送出する自動原稿送り装置（ＡＤＦ）が接続されたものがある。
【０００３】
そして、上記画像形成装置は、上記ＡＤＦに原稿をセットする際、予め合紙を挿入するページに、画像形成装置が認識できるバーコード等の識別情報を付加した原稿を挿入し、通常の原稿と合紙を挿入する原稿との区別を行う構成を有している。
このことにより、画像形成装置は、ＡＤＦにより供給された原稿において、上記識別情報の有無を確認することができ、各原稿の識別情報の有無に対応させて、印刷用給紙段及び合紙用給紙段を切り替えて、必要なページに合紙を挿入させることが可能である。
【特許文献１】特開２００４−２５４０５０号公報
【発明の開示】
【発明が解決しようとする課題】
【０００４】
しかしながら、上述した画像形成装置にあっては、印刷された用紙の所定のページに合紙を挿入する処理を行う際、合紙を行うページに対して合紙の挿入を認識させる上記識別情報を有する合紙認識用の原稿を用意して原稿に挿入しておく必要がある。
そのため、従来の画像形成装置は、複写する際に、元々挿入されていたカラーペーパなどを、上記合紙認識用原稿と差し替える手間を必要とし、かつ原稿の無駄が発生し、差し替え間違えると合紙を挿入する場所を探す手間が生じるという問題がある。
【０００５】
本発明は、このような事情に鑑みてなされたもので、カラーページ等の合紙を挿入しておいたままで、原稿をＡＤＦにセットして用紙に画像形成の処理を行い、複写された用紙に、上記原稿と同一の場所に合紙を挿入することができる画像形成装置を提供することを目的とする。
【課題を解決するための手段】
【０００６】
本発明の画像形成装置は、原稿の表面及び裏面の画像データを読み取る読取手段と、原稿の表面及び裏面の下地色を検出する下地色検出手段と、検出された表面及び裏面の下地色が所定の色であるか否かを判定する合紙判定手段と、印刷用の用紙を給紙する用紙給紙手段と、前記所定の色以外の下地色の合紙用の用紙を給紙する合紙給紙手段と、前記下地色判定手段の判定結果に基づき、前記用紙給紙手段から用紙を給紙するか、合紙給紙手段から合紙を供給するかを制御する給紙切替手段とを有していることを特徴とする。
【０００７】
本発明の画像形成装置は、原稿の表面及び裏面の画像データを読み取る読取手段と、検出された表面及び裏面のいずれに画像が印刷されているか否かを判定する合紙判定手段と、印刷用の用紙を給紙する用紙給紙手段と、前記用紙の下地色以外の色の合紙用の用紙を給紙する合紙給紙手段と、前記画像判定手段の判定結果に基づき、前記用紙給紙手段から用紙を給紙するか、合紙給紙手段から合紙を供給するかを制御する給紙切替手段とを有していることを特徴とする。
【０００８】
本発明の画像形成装置は、原稿の表面及び裏面の画像データを読み取る読取手段と、原稿の表面及び裏面の下地色を検出する下地色検出手段と、検出された表面及び裏面の下地色が所定の色であるか否かを判定する第１の合紙判定手段と、検出された表面及び裏面のいずれに画像が印刷されているか否かを判定する第２の合紙判定手段と、印刷用の用紙を給紙する用紙給紙手段と、前記用紙の下地色以外の色の合紙用の用紙を給紙する合紙給紙手段と、前記第１または第２の合紙判定手段のいずれかの判定結果に基づき、前記用紙給紙手段から用紙を給紙するか、合紙給紙手段から合紙を供給するかを制御する給紙切替手段とを有し、下地色による合紙の検出が選択された場合、給紙切替手段が第１の合紙判定手段の判定結果により給紙の制御を行い、画像の有無による合紙の検出が選択された場合、給紙切替手段が第２の合紙判定手段の判定結果により給紙の制御を行うことを特徴とする。
【０００９】
本発明の画像形成装置は、前記給紙切替手段が、原稿が合紙でないと判定された場合、用紙給紙手段から用紙を供給し、一方、原稿が合紙と判定された場合、合紙供給手段から合紙を供給することを特徴とする。
【００１０】
本発明の画像形成装置は、原稿の表面及び裏面の画像データを読み取る読取手段と、原稿の表面及び裏面の下地色を検出する下地色検出手段と、検出された表面及び裏面の下地色が所定の色であるか否かを判定する合紙判定手段と、印刷用の用紙を給紙する用紙給紙手段と、前記下地色判定手段の判定結果に基づき、合紙であることを示す所定の画像を前記用紙に印刷する印刷手段とを有していることを特徴とする。
【００１１】
本発明の画像形成装置は、前記読取手段が自動原稿送り装置に設けられ、原稿の裏面の画像を読み込む第１の読取センサと、画像形成装置に設けられ、原稿の表面の画像を読み込む第２のセンサとから構成されることを特徴とする。
【００１２】
本発明の画像形成装置は、自動両面原稿送り装置が設けられており、前記読取手段が表面及び裏面に共通の１つの読取センサから構成されていることを特徴とする。
【発明の効果】
【００１３】
以上説明したように、発明によれば、合紙を含む原稿の複写処理を行う際、複写結果として、印刷された用紙の所定のページ間に合紙を挿入する処理を行う場合、原稿の表面と裏面とから読み込んだ画像データから、合紙判定手段が各原稿が複写対象の原稿紙か合紙かの判定を行うため、従来のように、合紙を行うページに対して合紙の挿入を認識させる識別情報を有する合紙認識用の原稿を挿入する必要がなく、カラーページ等の合紙をそのまま原稿に挿入したまま、原稿をＡＤＦにセットすることで、合紙を容易に検出することができ、用紙に画像形成の処理を行い、原稿の画像が複写された用紙間の、上記原稿と同一の場所に所定の合紙を挿入することができる。
【００１４】
したがって、本発明によれば、原稿を複写する際に、元々挿入されていたカラーペーパなどを、上記合紙認識用原稿と差し替える手間を省くことができ、かつ合紙認識用原稿を生成する必要が無くなり原稿の無駄の発生を防止することができ、さらに差し替え間違えにより発生する、元原稿を用いて合紙の挿入部分の確認の手間を省くことができる。
【発明を実施するための最良の形態】
【００１５】
以下、本発明の一実施形態による画像形成装置を図面を参照して説明する。図１は同実施形態による画像形成装置、例えば複写機の構成例の断面を示す概念図である。この図において、自動原稿送り装置１００は、複写される原稿１をセットする給紙トレイ２と、給紙トレイ２から原稿１を搬送路３に送り出す給紙コロ４と、原稿１の裏面の画像データＤ１を読み込むイメージセンサ、例えばＣＩＳ（カラーイメージセンサ）５と、搬送路３から排出トレイ６に原稿１を排出する排出ローラ７とを有している。また、画像形成装置本体１０１は、上記搬送路３におけるガラス板８の位置でミラー９を介して原稿１の表面の画像データＤ２を読み込むイメージセンサ、例えばカラーＣＣＤ１０と、上記ＣＩＳ５及びカラーＣＣＤ１０の読み込んだ画像データにより、給紙される用紙に上記画像データＤ１及びＤ２を印刷する画像形成部１１を有している。
【００１６】
＜第１の実施形態＞
次に、図２を参照して、第１の実施形態における上記画像形成部１１を詳細に説明する。図２は、画像形成部１１の構成例を示すブロック図である。
図２において、合紙判定部１２は、ＣＩＳ５からの原稿１の裏面の画像データＤ１と、カラーＣＣＤ１０からの原稿１の表面の画像データＤ２とから、用紙１の表面と裏面との下地色を検出し、いずれの面の下地色も予め設定されている所定の色であるか否か、例えば白であるか否かの判定を行う。
【００１７】
給紙切替部１３は、上記合紙判定部１２の判定結果により、給紙部１４における用紙給紙段１５及び合紙給紙段１６のいずれから、印刷する用紙（例えば、普通紙）または合紙（例えば、カラーペーパー）を給紙するかの制御を行う。
給紙部１４は、上述したように、通常の印刷を行うための用紙を供給する用紙給紙段１５と、ページの区切りなどのマークとして用いる合紙を供給する合紙給紙段１６とから構成されている。
【００１８】
画像処理部１７は、ＣＩＳ５が読み込んだ画像データＤ１と、カラーＣＣＤ１０が読み込んだ画像データＤ２とを、画像の輪郭補正などの画像処理を行い、書込部１８へ出力する。
書込部１８は、給紙された用紙に対して、表面に画像処理された画像データＤ２を、また裏面に画像処理された画像データＤ１を印刷する。
【００１９】
次に、図１及び図２を参照して、第１の実施形態による画像形成装置、すなわち複写機の動作例を説明する。
利用者は原稿１を給紙トレイ２にセットし、複写開始のボタンを押す等して、画像形成装置に複写動作を指示する。この原稿１は図３に示すように、複写対象の原稿紙と、複数の原稿紙を複数の組に分割して、組を明確にするため挿入される合紙とからなる。
これにより、図示しない制御部は給紙コロ４を回転動作させ、搬送路３へ給紙トレイ２から、原稿を１枚ずつ送出する。
ここで、搬送路３は、複数のコロから構成されており、給紙コロ４から排出コロ６までの間を原稿を搬送する経路である。
【００２０】
そして、カラーＣＣＤ１０は、搬送路３において、原稿１がガラス板８を経由する際、これを検出して、原稿１の表面の画像を読み込み、読み込んだ画像を画像データＤ２として、合紙判定部１２及び画像処理部１７へ出力する。
また、ＣＩＳ５は、搬送路３において、原稿１が通過する際、これを検出して、原稿１の裏面の画像を読み込み、読み込んだ画像を画像データＤ１として、合紙判定部１２及び画像処理部１７へ出力する。
【００２１】
次に、合紙判定部１２は、画像データＤ１または画像データＤ２のから、原稿１の紙の下地部分を抽出して、原稿１の表面または裏面のいずれも下地が所定の色、例えば白であるか否かの判定を行う。ここで、合紙判定部１２は、画像データＤ１及びＤ２から画像をその輪郭等より抽出して、それ以外の部分を下地と判定する。
そして、合紙判定部１２は、原稿１の表面または裏面のいずれか一方でも、所定の色でないことを検出した場合、その原稿１を合紙と判定し、原稿１の表面及び裏面の双方が所定の色であることを検出した場合、その原稿１を通常の複写対象の原稿紙と判定し、判定結果を給紙切替部１３及び書込部１８へ出力する。
【００２２】
次に、給紙切替部１３は、合紙判定部１３からの原稿１の判定結果が入力されると、この判定結果が複写対象の原稿紙であることを示す場合、用紙を供給する制御信号を出力し、一方、この判定結果が合紙であることを示す場合、合紙を供給する制御信号を給紙部１４へ出力する。
これにより、給紙部１４は、制御信号が入力されると、この制御信号が用紙の供給を指示するものであれば、用紙給紙段１５から用紙を書込部１８に対して供給し、一方、制御信号が合紙の供給を指示するものであれば、合紙給紙段１６から上記所定の色以外の下地色（例えば、カラーペーパー）の合紙を書込部１８に対して供給する。
【００２３】
そして、書込部１８は、原稿１が通常の複写対象の原稿紙である判定結果が入力された場合、給紙部１４から供給される用紙に対して、画像処理部１７が画像処理した画像データＤ１をこの用紙の裏面に、画像データＤ２を表面に印刷して、図示しない印刷紙排出トレイに排出する。
一方、書込部１８は、原稿１が合紙である判定結果が入力された場合、給紙部１４から供給される合紙を印刷処理せずに、そのまま上記印刷紙排出トレイに排出する。  
これにより、図３に示す原稿１と同様に、合紙が所定の位置に挿入された（合紙含んだ）、原稿１が複写された複写物の生成を行うことができる。
【００２４】
＜第２の実施形態＞
次に、本発明による第２の実施形態による画像形成装置の構成を説明する。第２の実施形態の画像形成装置の構成は図１及び図２に示す第１の実施形態による画像形成装置と同様である。以下、第２の実施形態が第１の実施形態と異なる点のみを説明する。
第２の実施形態において、合紙判定部１２は、画像データＤ１及び画像データＤ２から、原稿１の表面及び裏面のいずれかに画像の有無、すなわち画像が印刷されているか否かの判定を行う。
【００２５】
そして、合紙判定部１２は、原稿１の表面または裏面のいずれか一方に画像が印刷されていることを検出すると原稿１を原稿紙と判定し、一方、原稿１の表面及び裏面のいずれにも画像が印刷されていないことを検出すると原稿１を合紙と判定する。ここで、合紙判定部１２は、輪郭の抽出等により画像の検出処理を行う。
また、第２の画像形成装置の他の処理については、第１の実施形態の画像形成装置と同様のため、説明を省略する。
【００２６】
＜第３の実施形態＞
次に、本発明による第３の実施形態による画像形成装置の構成を説明する。第３の実施形態の画像形成装置の構成は第２の実施形態のように、図１及び図２に示す第１の実施形態による画像形成装置と同様である。以下、第３の実施形態が第１の実施形態と異なる点のみを説明する。
第３の実施形態における合紙判定部１２は、第１の実施形態における下地色の判定から、原稿１が合紙であるか否かの判定を行う合紙判定部１２の機能（第１の合紙判定手段）と、第２の実施形態における画像の有無の判定から、原稿１が合紙であるか否かの判定を行う合紙判定部１２の機能（第２の合紙判定手段）との双方の機能を有している。
【００２７】
例えば、切替スイッチが設けられており、第１の合紙判定手段を用いて合紙の判定を行うか、または第２の合紙判定手段を用いて合紙の判定を行うかの、判定に用いる検出対象を、上記切替スイッチによる切替動作により、適時変更することができる。
また、第３の画像形成装置の他の処理については、第１及び第２の実施形態の画像形成装置と同様のため、説明を省略する。
【００２８】
＜第４の実施形態＞
次に、本発明による第４の実施形態による画像形成装置の構成を説明する。第４の実施形態の画像形成装置の構成は、図１に示す自動原稿送り装置１００が第１の実施形態による画像形成装置と同様である。また、図４は第４の実施形態による画像形成装置の画像形成部１１の構成例を示すブロック図である。この図４の第４の実施形態における画像形成部１１が図２の第１の実施形態と異なる点は、給紙切替部１３が設けられておらず、給紙部１４に合紙供給段１６が設けられていないことである。第４の実施形態の他の構成については第１の実施形態と同様である。以下、第４の実施形態が第１の実施形態と異なる点のみを説明する。
【００２９】
合紙判定部１２は、原稿１が原稿紙であるか合紙であるかの判定を行い、判定結果にかかわらず給紙部１４に用紙の給紙を指示する。これにより、給紙部１４は、用紙給紙段１５から用紙を書込部１８（印刷手段）へ供給する。
書込部１８は、合紙判定部１３からの原稿１の判定結果が入力されると、この判定結果が複写対象の原稿紙であることを示す場合、供給された用紙に通常の印刷、すなわち、画像データＤ１を裏面に、画像データＤ２を表面に印刷する処理を行う。一方、書込部１８は、入力される判定結果が合紙であることを示す場合、予め設定された合紙であることを示す所定の印字パターン（所定の画像）を、供給された用紙に印刷する。
【００３０】
＜第５の実施形態＞
次に、本発明の第５の実施形態による画像形成装置の構成を説明する。第５の実施形態の画像形成装置の構成は、図１及び図２また図４に示す第１の実施形態〜第４の実施形態による画像形成装置とほぼ同様である。
第５の実施形態が第１の実施形態〜第４の実施形態と異なる点は、自動原稿送り装置１００におけるＣＩＳ５が設けられておらず、原稿１の表面の画像データＤ２及び裏面の画像データＤ１双方の読み込みをカラーＣＣＤ１０のみで行うことにある。
すなわち、自動原稿送り装置１００が自動両面原稿送り装置であり、一旦搬送路３により原稿１の表面をガラス板８に対応して通過させ、図示しない原稿スタックにて原稿１をスイッチバックし、搬送路３により原稿１の裏面をガラス板８に対向して通過させ、最終的に排出ローラ６により、排出トレイ７に原稿１を排出させる。
【００３１】
これにより、カラーＣＣＤ１０は、最初に原稿１がガラス板８を通過する際、原稿１の表面の画像データＤ２を読み込み、この画像データＤ２を一旦記憶部（メモリ）に記憶し、次に原稿１が再度ガラス板８を通過する際、原稿１の裏面の画像データＤ１を読み込む。
また、第５の画像形成装置の他の処理については、第１の実施形態〜第４の実施形態の画像形成装置各々と同様のため、説明を省略する。
これにより、第１〜第４の実施形態における自動原稿送り装置１００を、第５の実施形態による自動原稿送り装置１００に変更することにより、高価なイメージセンサを削減することができる。
【００３２】
なお、図１における合紙判定部の機能を実現するためのプログラムをコンピュータ読み取り可能な記録媒体に記録して、この記録媒体に記録されたプログラムをコンピュータシステムに読み込ませ、実行することにより合紙判定の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】本発明の第１，第２及び第３の実施形態による画像形成装置の構成例を示す概念図である。
【図２】本発明の第１，第２及び第３の実施形態による画像形成装置の構成例を示すブロック図である。
【図３】合紙を含む原稿１の構成を示す概念図である。
【図４】第４の実施形態による画像形成装置の構成例を示すブロック図である。
【符号の説明】
【００３５】
１…原稿                                ２…給紙トレイ
３…搬送路                              ４…給紙コロ
５…ＣＩＳ（カラーイメージセンサ）      ６…排出ローラ
７…排出トレイ                          ８…ガラス板
９…ミラー                            １０…カラーＣＣＤ（電荷結合素子）
１１…画像形成部                        １２…合紙判定部
１３…給紙切替部                        １４…給紙部
１５…用紙給紙段                        １６…合紙給紙段
１７…画像処理部                        １８…書込部
【図１】
2006232517.tif 000003
【図２】
2006232517.tif 000004
【図３】
2006232517.tif 000005
【図４】
2006232517.tif 000006